(57)【要約】【課題】大型化を招くことなく、供給圧が低下した場合であっても出力圧を保持することができる電磁弁を提供する。【解決手段】導入通路１０１より油圧が供給されている間チェック弁１２１が開弁し、導入通路１０１からの供給油圧を蓄圧通路１５１から送出してアキュムレータに蓄圧する。導入通路１０１からの供給油圧が遮断された際には、蓄圧通路１５１からの油圧でチェック弁１２１が閉弁することで、アキュムレータに蓄圧された圧力を保持する。ソレノイド２４非励磁状態において、供給油圧が供給されている間は、その供給油圧を受けて圧力保持弁７２が閉弁することで、ソレノイド２４の大型化及びソレノイド２４の大型化に伴う電磁弁１の大型化を招くことなく、供給油圧のドレン通路６４からの漏れを防止することができる。【選択図】図１
2015028358.tif 000002
【特許請求の範囲】
【請求項１】
カバー内に配置された筒状のソレノイドと、該ソレノイド内に配置された固定鉄心と、該固定鉄心に吸引されて作動する可動鉄心とを備え、前記ソレノイドで励磁された前記固定鉄心で前記可動鉄心を吸引して弁を駆動する電磁弁であって、
前記弁は供給油圧を導入する導入通路と前記導入通路の供給油圧を蓄圧する蓄圧通路との連通と遮断を、前記ソレノイドの励磁または前記導入通路と前記蓄圧通路との差圧により行う第一切換弁と、
前記導入通路から前記蓄圧通路への油圧供給が行われかつ前記ソレノイドの非励磁の状態と、前記蓄圧通路側から前記導入通路側への油圧が解放されかつ前記ソレノイドの励磁状態の双方で前記導入通路の油圧を保持する第二切換弁とを設けるとともに、
前記第一切換弁と前記第二切換弁は、前記ソレノイドの可動鉄心と略同軸に配置されかつ当接、離間が可能となる分離構造を持つことを特徴とする電磁弁。
【請求項２】
アイドリングストップ時に前記蓄圧通路に接続されたアキュムレータの油圧を保持又は解放するオートマチックトランスミッションにおける油圧供給装置において、
通常走行時には、ポンプから前記導入通路に送られた油圧を前記第一切換弁を解放することで前記アキュムレータに蓄圧する一方、
前記第二切換弁は、前記ポンプからの油圧によって閉作動して前記導入通路と前記ドレン通路との連通を遮断することを特徴とした請求項１記載の電磁弁。
【請求項３】
アイドリングストップ時に前記蓄圧通路に接続されたアキュムレータの油圧を保持又は解放するオートマチックトランスミッションにおける油圧供給装置において、
前記導入通路に油圧を供給するポンプが停止したアイドリングストップ時には、前記蓄圧通路と前記導入通路との差圧によって前記第一切換弁を閉弁して前記アキュムレータの圧力を保持することを特徴とした請求項１記載の電磁弁。
【請求項４】
アイドリングストップ時に前記蓄圧通路に接続されたアキュムレータの油圧を保持又は解放するオートマチックトランスミッションにおける油圧供給装置において、
アイドリングストップ状態から再始動する際に、前記ソレノイドを励磁して前記第一切換弁を開作動し、前記アキュムレータの油圧を前記導入通路に送出するとともに、
前記第二切換弁により前記導入通路と前記ドレン通路との連通を遮断することを特徴とした請求項１記載の電磁弁。
【請求項５】
前記第一切換弁は、前記ソレノイドの励磁時に弁体が前記可動鉄心側と接触する一方、
前記ソレノイドの非励磁時に前記弁体が前記可動鉄心側と離間自在となり、前記導入通路と前記蓄圧通路との差圧により連通遮断を行う第一逆止弁であることを特徴とした請求項１から４にいずれか記載の電磁弁。
【請求項６】
前記第一逆止弁はボール弁であることを特徴とした請求項５記載の電磁弁。
【請求項７】
前記第二切換弁は、前記ソレノイドの励磁時に弁体が前記可動鉄心側と対向する方向に向けて着座する第一弁シール部と、前記ソレノイドの非励磁時でかつ前記導入通路の油圧が前記ドレン通路の油圧よりも大きい時に、前記ソレノイドの前記可動鉄心側に向けて着座する第二弁シール部をもつ第二逆止弁であることを特徴とした請求項１から４にいずれか記載の電磁弁。
【請求項８】
前記第二切換弁は、第一弁シール部に着座する第一弁体と、第二弁シール部に着座する第二弁体と隣接して一体としたことを特徴とする請求項１から５にいずれか記載の電磁弁。
【請求項９】
前記第二切換弁は、第一弁シール部に着座する第一弁体と、第二弁シール部に着座する第二弁体とが軸部材を介して離間することを特徴とした請求項１から５にいずれか記載の電磁弁。
【請求項１０】
前記ソレノイドの前記可動鉄心と前記第二切換弁は別体として分離していることを特徴とする請求項１から９にいずれか記載の電磁弁。
【発明の詳細な説明】
【技術分野】
【０００１】
本発明は、例えば油圧を制御する電磁弁に関する。
【背景技術】
【０００２】
従来、油圧回路において油圧を制御する際には、電磁弁が用いられていた（例えば、特許文献１参照。）。
【０００３】
この電磁弁は、入力ポート側にボール弁が設けられており、該ボール弁は、前記入力ポートからの油圧を受けて入力ポートを閉鎖するように構成されている。
【０００４】
一方、ソレノイドによってプランジャーを吸引した際には、該プランジャーに設けられたロッドのプッシャーが前記ボール弁を押圧することにより、前記入力ポートを開放できるように構成されており、この際に前記ロッドに設けられたテーパー弁が排出ポートを閉鎖するように構成されている。
【先行技術文献】
【特許文献】
【０００５】
【特許文献１】特開２００７−０５７０６２公報
【発明の概要】
【発明が解決しようとする課題】
【０００６】
しかしながら、このような従来の電磁弁にあっては、入力ポートへの供給圧が「０」になると出力ポートからの出力圧も「０」になってしまう。
【０００７】
ここで、アイドリングストップ方式の車両においては、アイドリングストップによりオイルポンプが停止した際にも圧力を保持する機能を備えた電磁弁が要求されている。
【０００８】
また、供給圧が比較的高い場合、供給圧が加えられた状態で排出ポートを閉鎖する際には大きな力が必要となり、ソレノイドの大型化を招いてしまう。これにより、電磁弁が大型化してしまう。
【０００９】
本発明は、このような従来の課題に鑑みてなされたものであり、大型化を招くことなく、供給圧が低下した場合であっても出力圧を保持することができる電磁弁を提供することを目的とするものである。
【課題を解決するための手段】
【００１０】
前記課題を解決するために本発明の請求項１の電磁弁にあっては、カバー内に配置された筒状のソレノイドと、該ソレノイド内に配置された固定鉄心と、該固定鉄心に吸引されて作動する可動鉄心とを備え、前記ソレノイドで励磁された前記固定鉄心で前記可動鉄心を吸引して弁を駆動する電磁弁であって、前記弁は供給油圧を導入する導入通路と前記導入通路の供給油圧を蓄圧する蓄圧通路との連通と遮断を、前記ソレノイドの励磁または前記導入通路と前記蓄圧通路との差圧により行う第一切換弁と、前記導入通路から前記蓄圧通路への油圧供給が行われかつ前記ソレノイドの非励磁の状態と、前記蓄圧通路側から前記導入通路側への油圧が解放されかつ前記ソレノイドの励磁状態の双方で前記導入通路の油圧を保持する第二切換弁とを設けるとともに、前記第一切換弁と前記第二切換弁は、前記ソレノイドの可動鉄心と略同軸に配置されかつ当接、離間が可能となる分離構造を持つ。
【００１１】
すなわち、前記弁は、供給油圧を導入する導入通路と前記導入通路の供給油圧を蓄圧する蓄圧通路との連通と遮断を前記ソレノイドの励磁または前記導入通路と前記蓄圧通路との差圧により行う第一切換弁を備えている。
【００１２】
このため、前記導入通路より油圧が供給されている間に前記第一切換弁が開弁することで、前記導入通路からの供給油圧を前記蓄圧通路から送出してアキュムレータ等に蓄圧することができる。
【００１３】
そして、前記導入通路からの供給油圧が遮断された際には、前記第一切換弁が閉弁することで、前記アキュムレータ等に蓄圧された圧力が保持される。
【００１４】
一方、前記弁は、前記導入通路から前記蓄圧通路への油圧供給が行われかつ前記ソレノイドの非励磁の状態と、前記蓄圧通路側から前記導入通路側への油圧が解放されかつ前記ソレノイドの励磁状態の双方で前記導入通路の油圧を保持する第二切換弁を備えており、当該第二切換弁は、前記第一切換弁と離間が可能な分離構造を備えている。
【００１５】
このため、ソレノイド非励磁状態において、前記供給油圧が供給されている間は、その供給油圧を受けて前記第二切換弁が閉弁することで、前記供給油圧の前記ドレン通路からの漏れが防止される。
【００１６】
また、請求項２の電磁弁においては、アイドリングストップ時に前記蓄圧通路に接続されたアキュムレータの油圧を保持又は解放するオートマチックトランスミッションにおける油圧供給装置において、通常走行時には、ポンプから前記導入通路に送られた油圧を前記第一切換弁を解放することで前記アキュムレータに蓄圧する一方、前記第二切換弁は、前記ポンプからの油圧によって閉作動して前記導入通路と前記ドレン通路との連通を遮断する。
【００１７】
さらに、請求項３の電磁弁では、アイドリングストップ時に前記蓄圧通路に接続されたアキュムレータの油圧を保持又は解放するオートマチックトランスミッションにおける油圧供給装置において、前記導入通路に油圧を供給するポンプが停止したアイドリングストップ時には、前記蓄圧通路と前記導入通路との差圧によって前記第一切換弁を閉弁して前記アキュムレータの圧力を保持する。
【００１８】
加えて、請求項４の電磁弁にあっては、アイドリングストップ時に前記蓄圧通路に接続されたアキュムレータの油圧を保持又は解放するオートマチックトランスミッションにおける油圧供給装置において、アイドリングストップ状態から再始動する際に、前記ソレノイドを励磁して前記第一切換弁を開作動し、前記アキュムレータの油圧を前記導入通路に送出するとともに、前記第二切換弁により前記導入通路と前記ドレン通路との連通を遮断する。
【００１９】
また、請求項５の電磁弁においては、前記第一切換弁は、前記ソレノイドの励磁時に弁体が前記可動鉄心側と接触する一方、前記ソレノイドの非励磁時に前記弁体が前記可動鉄心側と離間自在となり、前記導入通路と前記蓄圧通路との差圧により連通遮断を行う第一逆止弁である。
【００２０】
これにより、前記第一切換弁を、第一逆止弁で構成することができる。
【００２１】
さらに、請求項６の電磁弁では、前記第一逆止弁はボール弁である。
【００２２】
すなわち、前記第一逆止弁はボール弁で構成することができる。
【００２３】
加えて、請求項７の電磁弁にあっては、前記第二切換弁は、前記ソレノイドの励磁時に弁体が前記可動鉄心側と対向する方向に向けて着座する第一弁シール部と、前記ソレノイドの非励磁時でかつ前記導入通路の油圧が前記ドレン通路の油圧よりも大きい時に、前記ソレノイドの前記可動鉄心側に向けて着座する第二弁シール部をもつ第二逆止弁である。
【００２４】
これにより、前記第二切換弁を、第二逆止弁で構成することができる。
【００２５】
また、請求項８の電磁弁においては、前記第二切換弁は、第一弁シール部に着座する第一弁体と、第二弁シール部に着座する第二弁体と隣接して一体とした。
【００２６】
さらに、請求項９の電磁弁では、前記第二切換弁は、第一弁シール部に着座する第一弁体と、第二弁シール部に着座する第二弁体とが軸部材を介して離間する。
【００２７】
すなわち、前記第二切換弁は、第一弁シール部に着座する第一弁体と、第二弁シール部に着座する第二弁体とが軸部材を介して離間する構造で構成することもできる。
【００２８】
加えて、請求項１０の電磁弁にあっては、前記ソレノイドの前記可動鉄心と前記第二切換弁は別体として分離している。
【００２９】
これにより、可動鉄心と第二切換弁とにおいて軸ずれが生じた場合であっても、閉弁動作に支障を来すことがない。
【発明の効果】
【００３０】
以上説明したように本発明の請求項１の電磁弁にあっては、導入通路より油圧が供給されている間に第一切換弁が開弁することで、前記導入通路からの供給油圧を前記蓄圧通路から送出してアキュムレータ等に蓄圧することができる。
【００３１】
そして、前記導入通路からの供給油圧が遮断された際には、前記蓄圧通路からの油圧によって前記第一切換弁を閉弁することで、前記アキュムレータ等に蓄圧された圧力を保持することができる。
【００３２】
このため、アイドリングストップ方式の車両で本願発明の電磁弁を使用することによって、アイドリングストップによりオイルポンプが停止して供給油圧が遮断された場合であっても、アキュムレータ等に蓄圧された油圧を保持することができる。
【００３３】
したがって、供給油圧が低下した場合であっても出力圧を保持できる。
【００３４】
一方、ソレノイド非励磁状態において、前記供給油圧が供給されている間は、その供給油圧を受けて第二切換弁を閉弁することができる。
【００３５】
このため、ソレノイドの大型化及びソレノイドの大型化に伴う電磁弁の大型化を招くことなく、前記供給油圧のドレン通路からの漏れを防止することができる。
【図面の簡単な説明】
【００３６】
【図１】本発明の第一の実施の形態を示す断面図である。
【図２】同実施の形態の動作を示す説明図である。
【図３】図２に続く動作を示す説明図である。
【図４】図３に続く動作を示す説明図である。
【図５】本発明の第二の実施の形態を示す要部拡大図である。
【図６】本発明の第三の実施の形態を示す断面図である。
【発明を実施するための形態】
【００３７】
（第一の実施の形態）
【００３８】
以下、本発明の第一の実施の形態を図面に従って説明する。
【００３９】
図１は、本実施の形態にかかる電磁弁１を示す図であり、該電磁弁１は、オートマチックトランスミッションの油圧回路にて油圧を制御するものである。
【００４０】
この電磁弁１は、円筒状のカバー１１を備えており、該カバー１１内には、樹脂成形部品１２が収容された状態で固定されている。この樹脂成形部品１２には、固定ブラケット１３がインサート成型されており、該固定ブラケット１３より上端側には、前記カバー１１内に収容されるボビン１４が形成されている。前記固定ブラケット１３より下端側には、ノズル１５が設けられており、該ノズル１５は、基端側に設けられた鍔部１６が前記カバー１１にカシメられて固定されている。
【００４１】
前記ボビン１４は、円筒状に形成されており、その上端及び下端には、鍔２１，２１が形成されている。このボビン１４には、巻き線が巻回されコイル２２が形成されており、該コイル２２の巻き線は、前記鍔２１より延出した接続端子２３に接続されている。これにより、この接続端子２２に供給される信号に応じて磁力を発生するソレノイド２４が形成されている。
【００４２】
このソレノイド２４内には、固定鉄心としてのコア３１が内嵌されており、該コア３１は、下端部に形成された小径部３２が前記固定ブラケット１３に内嵌した状態で位置決め固定されている。前記コア３１は、固定された状態において、その上端部が前記ソレノイド２４の上端面３３より突出する長さに設定されており、当該コア３１の上端面は、磁力による吸引面３４を構成している。
【００４３】
前記ソレノイド２４と前記カバー１１の端部との間には、前記コア３１に吸引されて上下移動する可動鉄心としてのプランジャー４１が収容されている。このプランジャー４１は、前記ソレノイド２４の前記上端面３３に沿って延在する円板状に形成されており、前記プランジャー４１の外周面は、前記カバー１１の内側面に近接するように構成されている。これにより、前記プランジャー４１の外周面には、前記カバー１１との間で磁束の受け渡しを行う受渡部４２が設定されている。
【００４４】
前記プランジャー４１の中央部には、円柱状のロッド５１が固定されており、該ロッド５１は、前記コア３１に設けられた挿通穴５２へ上下動自在に挿入されている。前記プランジャー４１には、前記ロッド５１が設けられた中央部の回りに、上下に貫通する逃げ穴５３，５３が設けられており、当該プランジャー４１が上下動した際のオイルの逃げ道を形成している。
【００４５】
前記ノズル１５には、基端側に設けられた大径部６１と、先端側に設けられた小径部６２とが形成されている。前記大径部６１の基端側には、ドレン室６３が設けられており、該ドレン室６３は、後述する導入通路１０１からの余剰油圧を逃がドレン通路６４を介して左右に解放されている。前記ドレン室６３の中央部には、基端側座繰り穴６５が設けられており、該基端側座繰り穴６５には、内嵌部材６６が内嵌された状態で固定されている。該内嵌部材６６は、筒状に形成されており、その先端側には、基端側弁室６７が設けられている。
【００４６】
この内嵌部材６６には、前記ロッド５１が挿入されており、該ロッド５１の先端からは、当該ロッド５１より小径の軸部７１が延出している。該軸部７１には、第二切換弁としての圧力保持弁７２が形成されており、該圧力保持弁７２は、前記基端側弁室６７内で上下動できるように構成されている。
【００４７】
すなわち、前記圧力保持弁７２は、前記軸部７１の先端側から前記ロッド５１側へ向かうに従って大径となるテーパー状の第一弁体８１と、該第一弁体８１の基端より前記ロッド５１側へ向かうに従って小径となるテーパー状の第二弁体８２とからなり、前記第一弁体と前記第二弁体とは、隣接して一体形成されている。
【００４８】
前記基端側座繰り穴６５の底面を形成する前記基端側弁室６７の底面には、基端側連通穴９１が開設されており、該基端側連通穴９１の外周部には、前記第一弁体８１が離着座するすり鉢状の第一弁シール部９２が形成されている。また、前記基端側弁室６７の天面には、前記第二弁体８２が離着座するすり鉢状の第二弁シール部９３が前記内嵌部材６６の貫通穴９４の外周部に形成されている。
【００４９】
この基端側弁室６７の先端側には、導入通路１０１が設けられており、該導入通路１０１は、前記ノズル１５を横断するように形成されている。
【００５０】
前記ノズル１５の先端には、先端側座繰り穴１１１が設けられており、該先端側座繰り穴１１１と前記導入通路１０１とは、先端側連通穴１１２で連通されている。
【００５１】
前記先端側座繰り穴１１１には、ボール弁で構成されたチェック弁１２１が収容されており、この収容状態において、筒状のキャップ１２２により抜け止めされている。
【００５２】
これにより、前記ノズル１５の先端部には、前記チェック弁１２１が移動自在に収容された先端側弁室１３１が形成されており、該先端側弁室１３１の天面には、前記チェック弁１２１が離着座するすり鉢状の第三弁シール部１３２が前記先端側連通穴１１２の外周部に形成されている。
【００５３】
また、前記圧力保持弁７２と前記チェック弁１２１とは、前記プランジャー４１と略同軸に配置されかつ当接、離間が可能となる分離構造となっている。
【００５４】
前記ロッド５１より延出した前記軸部７１の先端には、該軸部７１より小径のプッシャー１４１が延出しており、該プッシャー１４１は、前記先端側連通穴１１２を挿通して前記チェック弁１２１を押圧できるように構成されている。
【００５５】
これにより、前記基端側弁室１３１では、前記ソレノイド２４非励磁状態において、前記導入通路１０１より油圧が加えられ、該導入通路１０１側の油圧が大気開放された前記ドレン通路６４側より高くなった場合には、その差圧を受けて前記圧力保持弁７２が後退するように構成されており、この際に前記圧力保持弁７２の前記第二弁体８２が前記第二弁シール部９３に着座して前記導入通路１０１と前記ドレン通路６４との連通を遮断する第二逆止弁として機能するように構成されている。
【００５６】
また、前記ソレノイド２４が励磁された際には、前記圧力保持弁７２が先端側へ移動されように構成されており、この際に前記圧力保持弁７２の前記第一弁体８１が前記第一弁シール部９２に着座して前記導入通路１０１と前記ドレン通路６４との連通を遮断するように構成されている。
【００５７】
そして、前記先端側弁室１３１では、前記導入通路１０１より油圧が加えられ、該導入通路１０１側の油圧が前記キャップ１２２に形成された蓄圧通路１５１側より高くなった場合には、その差圧を受けて前記チェック弁１２１が先端側へ後退するように構成されており、前記導入通路１０１側の油圧が前記蓄圧通路１５１側へ送出されるように構成されている。
【００５８】
また、前記導入通路１０１側の油圧が前記蓄圧通路１５１側より低くなった場合には、その差圧を受けて前記チェック弁１２１が移動して前記第三弁シール部１３２に着座するように構成されており、これにより前記蓄圧通路１５１側の油圧の逃げを防止する第一逆止弁として機能するように構成されている。
【００５９】
さらに、前記ソレノイド２４が励磁された際には、前記先端側連通穴１１２を閉鎖した前記チェック弁１２１を前記ロッド５１に設けられた前記プッシャー１４１で押圧して前記先端側連通穴１１２を解放できるように構成されており、前記蓄圧通路１５１側の油圧を前記導入通路１０１側へ供給できるように構成されている。
【００６０】
図２〜図４は、アイドリングストップ方式を採用した車両において、前記電磁弁１をオートマチックトランスミッションの油圧供給装置２０１に用いた例を示すものであり、当該電磁弁１の前記導入通路１０１には、油圧を供給するポンプ及び油圧の供給を受けるクラッチが接続されている。また、前記蓄圧通路１５１には、油圧を蓄圧する為のアキュムレータ２０２が接続されている。
【００６１】
この油圧供給装置２０１において、通常走行時には、図２に示したように、前記ポンプから前記導入通路１０１に供給された油圧によって前記チェック弁１２１を解放することで前記ポンプからの油圧を前記アキュムレータ２０２に蓄圧する。
【００６２】
このとき、前記圧力保持弁７２は、前記ポンプからの油圧によって閉作動して前記導入通路１０１と前記ドレン通路６４との連通を遮断する。これにより、前記ソレノイド２４を励磁すること無く、前記導入通路１０１からの油圧の前記ドレン通路６４への漏れを防止することができる。
【００６３】
また、前記ポンプが停止したアイドリングストップ時には、図３に示したように、前記ポンプからの油圧の供給が「０」となる。すると、前記蓄圧通路１５１と前記導入通路１０１との差圧によって前記チェック弁１２１を閉弁して前記アキュムレータ２０２の圧力を保持することができる。
【００６４】
このとき、前記圧力保持弁７２は、フリー状態となるが、もし前記導入通路１０１側に圧力が残っている、もしくは油圧が発生しても、前記導入通路１０１側と前記ドレン通路６４側との差圧によって、前記第二弁体８２が前記第二弁シール部９３に着座して前記導入通路１０１と前記ドレン通路６４との連通を遮断することができる。
【００６５】
そして、アイドリングストップ状態から再始動する際には、図４に示すように、前記ソレノイド２４を励磁して前記チェック弁１２１を開作動し、前記アキュムレータ２０２の油圧を前記導入通路１０１に送出する。
【００６６】
このとき、前記圧力保持弁７２の前記第一弁体８１が前記第一弁シール部９２に着座することで、前記導入通路１０１と前記ドレン通路６４との連通を遮断することができる。
【００６７】
これにより、前記アキュムレータ２０２で蓄圧された油圧を漏れなく、前記導入通路１０１を介してクラッチに供給することができる。
【００６８】
以上の構成にかかる本実施の形態にあっては、電磁弁１の弁は、ポンプからの供給油圧を導入する導入通路１０１と該導入通路１０１の供給油圧を蓄圧する蓄圧通路１５１との連通と遮断をソレノイド２４の励磁又は前記導入通路１０１と前記蓄圧通路１５１との差圧により行うチェック弁１２１を備えている。
【００６９】
このため、前記導入通路１０１より油圧が供給されている間に前記チェック弁１２１が開弁することで、前記導入通路１０１からの供給油圧を前記蓄圧通路１５１から送出してアキュムレータ２０２に蓄圧することができる。
【００７０】
そして、前記導入通路１０１からの供給油圧が遮断された際には、前記蓄圧通路１５１からの油圧によって前記チェック弁１２１を閉弁することで、前記アキュムレータ２０２に蓄圧された圧力を保持することができる。
【００７１】
このため、アイドリングストップ方式を採用した車両で前記電磁弁１を使用することにより、アイドリングストップによりオイルポンプが停止して供給油圧が遮断された場合であっても、アキュムレータ２０２に蓄圧された油圧を保持することができる。
【００７２】
したがって、供給油圧が低下した場合であっても出力圧を保持できる。
【００７３】
一方、前記電磁弁１の弁は、前記導入通路１０１との連通を前記ソレノイド２４の励磁又は前記導入通路１０１と前記ドレン通路６４との差圧により行う圧力保持弁７２を備えており、当該圧力保持弁７２は、前記チェック弁１２１と離間が可能な分離構造を備えている。
【００７４】
このため、ソレノイド２４非励磁状態において、前記供給油圧が供給されている間は、その供給油圧を受けて前記圧力保持弁７２が閉弁することで、前記ソレノイド２４の大型化及びソレノイド２４の大型化に伴う電磁弁１の大型化を招くことなく、前記供給油圧のドレン通路６４からの漏れを防止することができる。
【００７５】
なお、本実施の形態では、前記圧力保持弁７２の第一弁体８１と第二弁体８２とを隣接して一体にした場合について説明したが、これに限定されるものではない。
【００７６】
（第二の実施の形態）
【００７７】
図５は、本発明の第二の実施の形態を示す図であり、第一の実施の形態と同一又は同等部分については、同符号を付して説明を割愛するとともに、異なる部分に付いてのみ説明する。
【００７８】
すなわち、ノズル１５の基端側座繰り穴６５に設けられた内嵌部材６６には、ロッド５１より延出した軸部７１が挿通している。前記ロッド５１と前記軸部７１との間には、先端側へ向かうに従って小径となるテーパー状の第一弁体３０１が形成されている。
【００７９】
また、前記軸部７１の先端からは、当該軸部７１より小径の小径軸部３１１が延出しており、該小径軸部３１１の先端は、前記内嵌部材６６より延出できるように構成されている。この小径軸部３１１の先端には、先端側から前記ロッド５１側へ向かうに従って小径となるテーパー状の第二弁体３１２が形成されている。
【００８０】
そして、前記内嵌部材６６の基端面には、前記第一弁体３０１が離着座するすり鉢状の第一弁シール部３２１が貫通穴９４の外周部に形成されており、前記内嵌部材６６の先端面には、前記第二弁体３１２が離着座するすり鉢状の第二弁シール部３２２が貫通穴９４の外周部に形成されている。
【００８１】
これにより、前記ロッド５１の先端には、前記第一弁体３０１と前記第二弁体３１２とで構成された圧力保持弁３３１が設けられており、該圧力保持弁３３１は、離間して設けられた前記第一弁体３０１と前記第二弁体３１２とで構成されている。
【００８２】
このような構造であっても、ソレノイド２４非励磁状態において、前記導入通路１０１からの油圧を受けて前記第二弁体３１２が閉弁することで、前記導入通路１０１と前記ドレン通路６４との連通状態を遮断できるとともに、ソレノイド２４励磁時には、前記第一弁体３０１が閉弁することで、前記導入通路１０１と前記ドレン通路６４との連通状態を遮断できる。
【００８３】
これにより、第一の実施の形態と同様の作用効果を奏することができる。
【００８４】
なお、第一及び第二の実施の形態では、ロッド５１が単一の部材で構成された場合について説明したが、これに限定されるものではない。
【００８５】
（第三の実施の形態）
【００８６】
図６は、本発明の第三の実施の形態を示す図であり、第一の実施の形態と同一又は同等部分については、同符号を付して説明を割愛するとともに、異なる部分に付いてのみ説明する。
【００８７】
すなわち、本実施の形態の電磁弁４０１にあっては、前記ロッド５１が、第一ロッド構成部材４０２と第二ロッド構成部材４０３とにより構成されており、前記ソレノイド２４における前記プランジャー４１側と前記圧力保持弁７２側とが別体として分離されている。
【００８８】
これにより、前記プランジャー４１と前記圧力保持弁７２とにおいて軸ずれが生じた場合であっても、閉弁動作に支障を来すことがない。
【符号の説明】
【００８９】
１    電磁弁
１１    カバー
２４    ソレノイド
３１    コア
４１    プランジャー
６４    ドレン通路
７２    圧力保持弁
８１    第一弁体
８２    第二弁体
９２    第一シール部
９３    第二シール部
１０１    導入通路
１２１    チェック弁
１５１    蓄圧通路
２０１    油圧供給装置
２０２    アキュムレータ
３０１    第一弁体
３１２    第二弁体
３２１    第一弁シール
３２２    第二弁シール
３３１    圧力保持弁
４０１    電磁弁
４０２    第一ロッド構成部材
４０３    第二ロッド構成部材
【図１】
2015028358.tif 000003
【図２】
2015028358.tif 000004
【図３】
2015028358.tif 000005
【図４】
2015028358.tif 000006
【図５】
2015028358.tif 000007
【図６】
2015028358.tif 000008